(57)【要約】  本発明は、Ｘ線装置、Ｘ線システム、及びそれらの作動方法に関する。オペレータ及び患者は、１又は複数のＩＤ手段を有するＩＤシステムによって識別される。オペレータ技能レベルが決定される。Ｘ線画像を生成するための画像取得は、オペレータとＸ線装置との適応的なインタラクションのためのインタフェースを使用して実行される。インタフェースは、少なくとも１つのオプションセレクタを出力するように適応される。少なくとも１つの後続のオプションセレクタは、オペレータ技能レベル及び／又は対象データに従って適応される。
2020519331.tif 000002
【特許請求の範囲】
【請求項１】
Ｘ線源と、
検出器と、
少なくとも１のオペレータ及び／又は少なくとも１の対象を識別する１又は複数のＩＤ手段を有するＩＤシステムと、
プロセッサユニットであって、
オペレータ技能レベルの決定及び／又は対象データの決定、
Ｘ線画像を生成する画像取得、及び
前記オペレータ及びＸ線装置の適応的なインタラクションのためのインタフェースであって、前記インタフェースが、少なくとも１のオプションセレクタを出力するように適応され、少なくとも１の後続のオプションセレクタが、前記オペレータ技能レベル及び／又は前記対象データに基づいて適応される、インタフェース、
を有するプロセッサユニットと、
を有するＸ線装置。
【請求項２】
請求項１に記載のＸ線装置を有するＸ線システムであって、
オペレータとＸ線装置との適応的なインタラクションが、少なくとも１のオプションセレクタを出力するように適応されるインタフェースによって提供され、少なくとも１の後続のオプションセレクタが、オペレータ技能レベル及び／又は対象データに従って適応される、Ｘ線システム。
【請求項３】
Ｘ線システムの対象及び／又はオペレータを検出する少なくとも１のセンサを更に有する、請求項２に記載のＸ線システム。
【請求項４】
前記少なくとも１のセンサが近接センサである、請求項３に記載のＸ線システム。
【請求項５】
前記Ｘ線システムが、前記オペレータ技能レベルの情報及び／又は前記対象データを提供するクラウドベースのインフラストラクチャに接続される、請求項２に記載のＸ線システム。
【請求項６】
データベースがオンライン又はオフラインモードで更新され又は識別装置と同期される、請求項５に記載のＸ線システム。
【請求項７】
Ｘ線システムの使用による画像取得の方法であって、前記Ｘ線システムはＸ線装置を有し、前記方法が、
ａ）オペレータ技能レベルを決定し、及び／又は対象データを決定する、ステップと、
ｂ）前記オペレータ技能レベル及び／又は前記対象データに従って少なくとも１のオプションセレクタを出力するステップと、
ｃ）少なくとも１のオプションセレクタを選択するステップと、
ｄ）少なくとも１の後続のオプションセレクタを適応させるステップと、
ｅ）出力された前記少なくとも１のオプションセレクタを、前記少なくとも１の後続のオプションセレクタによって更新するステップと、
を有し、少なくとも１の後続のオプションセレクタが、前記オペレータ技能レベル及び／又は前記対象データに従って適応される、方法。
【請求項８】
少なくとも１の後続のオプションセレクタが、ステップバイステップモードで提供される、請求項７に記載の方法。
【請求項９】
少なくとも１の後続のオプションセレクタが、前記オペレータ技能レベルによる任意のオプションセレクタである、請求項７に記載の方法。
【請求項１０】
前記少なくとも１の後続のオプションセレクタを適応させる前に、前記選択されたオプションセレクタが、線量設定などの重要なパラメータ設定について、又はシステムの安全運用を確保するために前記オペレータ技能レベルに従って、整合性チェックを受ける、請求項７に記載の方法。
【請求項１１】
前記少なくとも１のオプションセレクタの１又は複数が、前記オペレータ技能レベルに従って放棄されることができる、請求項７乃至１０のいずれか１項に記載の方法。
【請求項１２】
前記Ｘ線システムのセンサが、オペレータ及び／又は対象が存在しないことを検出する場合、前記オペレータ技能レベル及び／又は前記対象が確認されることができる、請求項７乃至１１のいずれか１項に記載の方法。
【請求項１３】
前記オプションセレクタは、線量設定、対象ごとのＸ線スキャンの回数、対象と前記Ｘ線装置のＸ線源とのアライメント、プッシュボタン確認、自動チェックを含む、請求項７乃至１２にいずれか１項に記載の方法。
【請求項１４】
処理ユニットによって実行されるとき、請求項７乃至１３のいずれか１項に記載の方法を実施するように適応される請求項１に記載のＸ線装置又は請求項２乃至６のいずれか１項に記載のＸ線システムを制御するためのコンピュータプログラム。
【請求項１５】
請求項１４に記載のコンピュータプログラムを記憶したコンピュータ可読媒体。
【発明の詳細な説明】
【技術分野】
【０００１】
本発明は、Ｘ線システム及び装置並びにその動作に関する。
【背景技術】
【０００２】
Ｘ線システムは通常、Ｘ線を使用した画像取得の分野の専門家によって作動される。
【発明の概要】
【発明が解決しようとする課題】
【０００３】
Ｘ線システムは、農村地域だけでなく、追加の画像診断が必要な場合に人口密度の高い地域においても魅力的なソリューションである。救急及び養護施設向けサービスでもＸ線システムの必要性が生じることがある。Ｘ線システムが使用されるいくつかの状況において、そのようなシステムの最適化された動作が望ましい。更に、このようなシステムの動作に関するすべての安全要件が満たされなければならない。
【０００４】
欧州特許出願公開第1420354A2号公報は、患者のロケーションにおいて医療画像を効率的かつ正確に撮影できる医療画像放射線撮影システムを開示する。
【０００５】
国際公開第2015/071419A1号公報は、１又は複数のオペレータの組のうちの１人がログインすると、１又は複数の検体を解析するように各々が動作可能である１又は複数の医用解析装置の組を作動させる方法を記述している。
【０００６】
米国特許出願公開第2006/288095A1号公報は、患者の地理的位置（部屋、ベッド、部門など）に基づいたヘルスケア情報アプリケーションを使用する際に労働者によって使用されるコンテキスト情報を自動的に確立する（例えば、モニタ、換気装置、診断機器などのデバイスのユーザインタフェースワークフロー、画面、メニュー、アクセス要件の変更を決定する）システムを開示する。
【０００７】
従って、Ｘ線システムのアクセス及び動作の制御を改善する必要がありうる。
【課題を解決するための手段】
【０００８】
本発明の目的は、独立請求項の主題によって解決される。他の実施形態は、従属請求項に組み込まれている。本発明の以下に説明する態様は、Ｘ線装置、Ｘ線システム、及びＸ線システムの使用による画像取得のために記述される方法、及びその逆にも適用されることに留意されたい。
【０００９】
少なくともいくつかの例によれば、以下に述べられる本発明によって提供される特徴は、特にモバイルＸ線装置、モバイルＸ線システム、及びその動作方法にも当てはまる。モバイルＸ線装置は、農村地域又は養護施設において使用される場合、スキャンプロシージャのために患者のところに運ばれる。更に、本明細書で提示される本発明の少なくともいくつかの特徴は、他のモバイルＸ線ヘルスシステムにも適用される。
【００１０】
一般に、医療機器のトレーニングを受けていない、又は知識のないオペレータは、通常、その操作方法に関するガイダンスを必要とする。これは、特にＸ線システム及びＸ線装置が農村地域のような中心部から離れた地域で作動され、モバイルＸ線システム及び装置である場合に、かかるＸ線システム及びＸ線装置にも当てはまる。特にモバイルＸ線システム又は装置を使用する場合、簡単なステップバイステップの操作が、トレーニングを受けていない又は知識の少ないオペレータによって行われることが期待されることができる。
【００１１】
しかしながら、よくトレーニングされた医療従事者は、要求されるワークフロー及びパラメータ設定の知識に基づいて彼らが容易にかつ迅速に遂行することができる場合には、そのようなガイダンスが迷惑であまり役に立たないと感じることがある。更に、十分にトレーニングされた医療従事者は、標準のワークフローが提供するものよりも多くの知識をもっていることがある。
【００１２】
本発明によれば、オペレータがオペレータ技能レベルに応じて適切な方法でシステムを使用することを支援するＸ線装置が提供される。Ｘ線装置は、Ｘ線源、検出器、少なくとも１つのオペレータ及び／又は少なくとも１つの対象を識別するための１又は複数のＩＤ手段を含むＩＤシステム、プロセッサユニット、及びオペレータとＸ線装置との適応的なインタラクションのためのインタフェースを有する。プロセッサユニットは、オペレータ技能レベルを決定し、及び／又はＸ線画像を生成するための対象データ及び画像取得を決定する。インタフェースは、少なくとも１つのオプションセレクタを出力するように適応され、少なくとも１つの後続のオプションセレクタは、オペレータ技能レベル及び／又は対象データに従って適応される。従って、本発明は、安全な動作が保証されるように、Ｘ線装置及びシステム並びにオペレータにどのように対処するか、又は中心部から離れた地域でどのように対象をスキャンするかを提案する。更に、本発明によれば、操作方法はオンサイトの状況に適応され、これはオペレータ技能レベルにも依存する。
【００１３】
Ｘ線装置によって提供されるＩＤ手段は、名前、登録番号のようなオペレータの詳細を、Ｘ線装置によって提供されるデータと比較することにより、オペレータがＸ線装置に知られているかどうかを識別する。ＩＤ手段は、オペレータの技能及び／又は対象データに関する情報の識別を更に含む。対象は、患者又はＸ線画像取得の対象となる別の対象である。この情報に基づいて、オペレータの技能レベルが、インタフェースによって出力され又は提供される少なくとも１つのオプションセレクタと合致するように、Ｘ線装置の操作方法が変更され又は適応される。
【００１４】
少なくとも１つ又は後続のオプションセレクタは、識別された対象データに従って調整され又は変更されることができる。出力されるオプションセレクタは、オペレータとＸ線装置との適応的なインタラクションのためのインタフェースを介して、選択可能である。適応的なインタラクションのためのインタフェースは、データを入力し情報を表示するためのディスプレイ、タッチスクリーン、キーボード等の少なくとも１つを有する。
【００１５】
少なくとも１つの又は後続のオプションセレクタは、対象に依存する線量設定又は最大線量設定（例えば、患者のサイズ、患者の体重）、対象ごとに許可されるＸ線スキャンの数のうち１又は複数を含む。
【００１６】
こうして、出力されるオプションセレクタは、例えば、専門家オペレータがプロトコルを選択するためのより多くの選択の自由度を提供することができ、他方で、専門家でないオペレータは、少なくとも１つのオプションセレクタによって提供されるステップ倍ステップのガイダンスに従うことにより同じ又は同様の操作方法を実施することができる。従って、少なくとも１つの後続のオプションセレクタが適応され、Ｘ線画像の実際の生成（画像取得）の前に、少なくとも１つの出力されるオプションセレクタは、オペレータとＸ線装置との更なる適応的なインタラクションのためのインタフェースを介して更新され、生成されたＸ線画像を出力する。
【００１７】
一例によれば、少なくとも１つのオプションセレクタ及び／又は少なくとも１つの後続のオプションセレクタは、或る操作方法及び／又はガイダンスレベルを提供する。Ｘ線装置は、オペレータ技能レベル及び／又は対象データに従って後続のオプションセレクタの適応を提供し、それにより、オペレータのために必要とされる又は要求されるガイダンスを提供するオプションセレクタを出力するようにインタフェースが適応される。同時に、システムの操作方法もまた、オペレータの要求に従って調整される。いくつかの例において、オペレータは、能力の低いオペレータのためのガイダンス又は操作方法を要求することがある。このような要求は、Ｘ線装置の適応的なインタラクションのためのインタフェースを介して、提供されることができる。
【００１８】
１つの態様によれば、Ｘ線装置を有するＸ線システムが提供される。オペレータとＸ線装置の適応的なインタラクションは、少なくとも１つのオプションセレクタを出力するよう適応されるインタフェースによって提供される。従って、オペレータ技能レベル及び／又は対象データに従って、少なくとも１つの後続のオプションセレクタが適応される。
【００１９】
一例によれば、Ｘ線システムは、対象及び／又はＸ線システムのオペレータを検出するための少なくとも１つのセンサを更に有する。センサにより受信されたデータは、オペレータのガイダンスのために、少なくとも１つ又は後続のオプションセレクタによってオペレータに提供されることができる。センサーデータは、Ｘ線装置又はシステムの設定を二重チェックするために使用されることもできる。いくつかの例において、Ｘ線システムはセンサシステムを有する。
【００２０】
一例によれば、少なくとも１つのセンサは、オペレータ及び／又は対象のＸ線装置からの距離を検知するための近接センサである。近接センサは、Ｘ線装置の近くに別の対象や人がいないことを検知するために使用されることができ、それにより、意図しないＸ線放射線に対する安全保護が提供される。
【００２１】
一例によれば、Ｘ線システムは、オペレータ技能レベルの情報及び／又は対象データを提供するクラウドベースのインフラストラクチャに接続される。クラウドベースのインフラストラクチャは、オンラインモード又はオフラインモードで更新され、又はオペレータの識別デバイス上に提供される技能データと同期される。更に、対象データもまた同じやり方で更新される。従って、オペレータ技能レベルや対象データは常に最新である。
【００２２】
１つの態様によれば、Ｘ線システムの使用による画像取得方法が提供され、Ｘ線システムはＸ線装置を有する。この方法は、オペレータの技能レベルを決定すること、及び／又は対象データを決定することを含む。この方法は、オペレータの技能レベル及び／又は対象データに従って少なくとも１つのオプションセレクタを出力し、少なくとも１つのオプションセレクタを選択することを更に含む。少なくとも１つの後続のオプションセレクタは、オペレータ技能レベル及び／又は対象データに従って適応される。これらのステップは、Ｘ線画像を生成し、生成されたＸ線画像を出力する前に、実行され及び／又は繰り返される。
【００２３】
本発明によれば、少なくとも１つ及び／又は後続のオプションセレクタは、オペレータ技能レベルに合致しているので、スキルの高いオペレータは、スキルの低いオペレータが必要とされるよりも柔軟なやり方でＸ線システムと対話することができる。従って、操作及びガイダンスの適応される方法を同時に提供する柔軟な方法が提供される。
【００２４】
本発明のこれら及び他の態様は、以下に記述される実施形態から明らかになり、それらに実施形態に関して説明される。
【００２５】
本発明の例示的な実施形態を、添付の図面を参照して以下に説明する。
【図面の簡単な説明】
【００２６】
【図１】本発明によるＸ線システムを示す図。
【図２】本発明による、オペレータ技能レベルがベーシックである場合の画像取得方法を示す図。
【図３】本発明による、オペレータ技能レベルである専門家である場合の画像取得方法を示す図。
【発明を実施するための形態】
【００２７】
本発明は、一般に、Ｘ線システム及びＸ線装置、又はモバイルＸ線システム及びモバイルＸ線装置、並びにその動作方法に関する。オペレータがオペレータ技能レベルに従って適切なやり方でシステムを使用することを支援するＸ線装置が提供される。専門的資格、コース、トレーニングなどによる医学的資格、又は技能が少ない又は全くないなどのオペレータ関連の情報は、フォローアップ、及びインタラクション及び／又はＸ線システムの動作のためのオペレータ技能レベルの選択のためのデータとともに保存される。保存されたフォローアップデータは、例えば、実際のスキャンの制御のための再スキャン、患者の個人カルテへのデータの保存などの、最初の診断ステップ又は治療後のプロシージャを含む。
【００２８】
ここでは、インタラクション及び／又は操作のレベルは、ベーシックモード又は専門家モードに適応されたオプションセレクタによって示されることができる。オペレータの識別データに加えて、オペレータのトレーニングレベルに関する情報も提供される。それに基づいて、Ｘ線システムの動作中の少なくとも１つのオプションセレクタによる設定の適応された選択及びガイダンスが提供される。Ｘ線システムとオペレータとのこのような適応的なインタラクションにより、必要なときにいつでも良好な操作品質及びオペレータガイダンスが保証される。
【００２９】
出力されるオプションセレクタは、例えば、専門家オペレータがプロトコルを選択するためのより多くの選択の自由度を提供することができ、他方で、専門家でないオペレータは、少なくとも１つのオプションセレクタによって提供されるステップバイステップのガイダンスに従うだけで、同じ又は同様の操作方法を実行することができる。プロトコルは、例えば小児用、心臓用、又は小さな関心領域の選択のためのスキャニングプロトコルである。一般に、そのようなプロトコルは、疾患又は領域に従って予め規定されるパラメータ設定を有する。また、Ｘ線装置の電流及び電圧レンジは、例えばミリアンペア又はキロボルトのレンジにそれぞれ適応されることができる（例えば高いミリアンペアに関する大人用プロトコルは、過剰線量投与を禁止するために、小児には使用されない）。
【００３０】
本発明の一例によれば、オペレータ技能レベルが上述したように経験が少ない又は低いと識別される場合、少なくとも１つのオプションセレクタ及び／又は少なくとも１つの後続のオプションセレクタはステップバイステップモードで提供される。ステップバイステップモードは、線量設定の確認のリクエスト、患者の年齢の再入力、又は対象の位置の二重チェックのような特定の二重チェック質問、データの入力、プッシュボタンの確認、Ｘ線装置又はＸ線システムで提供されるカメラの自動チェック、インタフェースを介したＸ線装置との適応的なインタラクション中にオペレータによって入力として提供された設定の二重チェックのために対象（患者）の幾何形状を測定するセンサの自動チェック、を含むことができる。
【００３１】
対象（患者）のサイズ又はその直径は、低ノイズで良好な画像品質を得るために必要なＸ線線量を決定する（例えば、ｍＡ又はｋＶレンジでの電流及び電圧の設定）。こうして、予想される電圧及び電流レンジは、Ｘ線源からＸ線装置の検出器までのＸ線光子の通過長である「組織長さ」に合致する必要がある。パラメータ設定からそのように得られる長さは、パラメータ設定チェックのために使用されることができる。更に、最初に生成されたＸ線画像が品質基準を満たしていない場合にのみ、再スキャンが可能であるべきである。更に、要求される他の追加情報が不足している場合、規制が許すならば再スキャンが可能である。
【００３２】
ステップバイステップモードでは、追加の確認プロシージャが、操作の方法及び／又はオペレータに提供されるガイダンスレベルに含められることができる。いくつかの例において、オペレータ技能レベルが、十分にトレーニングされたものであると識別された場合にも、ステップバイステップモードが提供される。これは、オプションセレクタにより要求される入力がレンジから外れており、又は対象データと合致しない場合、例えば小児用の線量設定が要求されるが、成人用の線量設定が入力として指定されている場合、スキャンの回数がスキャンされる特定の患者の最大許容回数を超えている場合、又は入力された電流及び電圧レンジが過剰全量投与につながる場合である。ある例において、そのような自動化されたチェックを支援するために他のセンサシステムが提供されることもできる。ただし、自動プロシージャ及びセンサのレベルは、Ｘ線システムのコスト目標にも依存しうる。
【００３３】
ある例によれば、少なくとも１つの後続のオプションセレクタは、オペレータの経験レベルに従って任意である。オペレータ技能レベルが適当である場合、これは、迅速な操作方法を提供する。任意のオプションセレクタは、スキルの低いオペレータと同じレベルのガイダンスを提供することができ、又はより経験のあるオペレータと同様のアップグレードしたレベルのガイダンスを提供することができる。この任意のオプションセレクタは、オペレータ技能レベルが高いと識別される場合には、高い柔軟性を提供するが、オペレータ自身は、技能レベルが特定のフィールドでは取得されたものであるので、付加的なガイダンスを望むことがあり、又はオペレータは、例えば患者の治療履歴からいくつかの特徴に向き合う場合、装置又はシステムによるより多くの支援を必要とする。
【００３４】
いくつかの例によると、選択されたオプションセレクタは、少なくとも１つの後続のオプションセレクタを適応させる前に整合性チェックを受ける。このような整合性チェックは、患者の治療履歴、年齢、又はオンサイトでの以前のスキャン数にも依存する。一例において、線量設定のような重要なパラメータ設定について、又はシステムの安全動作を保証するためのオペレータ技能レベルに従って、整合性チェックが実行される。
【００３５】
ある例において、適当なオペレータ技能レベルが識別される場合、本発明により提案されるシステム及びデバイス並びにそれらの操作方法は、そのような手段の却下も提供する。従って、いくつかの例では、オペレータ技能レベルに従って、少なくとも１つのオプションセレクタ又は１又は複数の後続のオプションセレクタの１又は複数を却下し又は放棄する。例えば、識別された高い技能レベルをもつオペレータのみが、警告などの出力されるオプションセレクタを放棄することができる。
【００３６】
ある例において、Ｘ線システムのセンサがオペレータ及び／又は対象の不存在を検出する場合、オペレータ技能レベル及び／又は対象が、確認されることができる。これは、対象が検出領域から外に移動する場合、又はオペレータがＸ線装置の操作を中断する必要がある場合に当てはまる。ある例では、そのような手段は、識別されたオペレータの技能レベルにリンクされる。
【００３７】
一例によると、Ｘ線システムは、トレーニング又は専門家レベルのデータベースインフラストラクチャ、クラウドベースのインフラストラクチャに接続されており、これは、他のイメージング又は医療サービスモダリティでも幅広く使用されることができる。
【００３８】
オペレータ技能レベルは、データベースにより提供されることができる。このようなデータベースは、クラウドサービス又はモバイル電話のローカルアプリケーションでありうる。オペレータの資格スキル又は技能レベルを提供するデータベースは、ＩＤ手段と対話する識別デバイス上で個々のオペレータにローカルコピーを提供するクラウドベースのインフラストラクチャでありうる。そのようなコピーは、携帯電話アプリ、健康カードなどとして提供されることができ、オフライン操作も可能にする。更に、各々の適切な装置は、ネットワークなしで操作されることができるが、識別デバイスとＸ線装置との間の双方向通信を提供する。オペレータ技能レベルのデータは、トレーニングシステム、又は病院又はその他の教育センターからの専門データのような関連情報の他のソースにリンクされることができる。
【００３９】
オペレータの識別のために、簡単で迅速な作業プロシージャが望ましい。一部の携帯電話には、通常は支払いに使用されるＮＦＣ（近距離無線通信）モジュールが装備されている。このような技術は適しているが、オペレータの識別が明確に検出されることができる限り、ブルートゥース又は携帯電話の他のＲＦリンクもまた、Ｘ線装置と対話するために使用されることができる。更に、健康カード、ＩＤカード、更にはパスポートが、識別のために使用されることもできる。
【００４０】
上記の携帯電話の識別又はその他の識別方法に加えて、資格のあるオペレータのリストが、Ｘ線システムを介してオンライン／オフラインで確認されることにより、システムへの追加のアクセス権を付与することができる。例えば、医師又は十分なトレーニングを受けた人員は、システムを操作するためのより多くのオプションを有することができ、それにより、オペレータ技能レベルがオンサイトで変更されることができる。
【００４１】
情報交換を扱う別の可能な選択肢は、専門的資格、コース、トレーニング等による医療資格、又は技能がないこと（これがデフォルト設定である）を、個々のオペレータの携帯電話にローカルに保存する携帯電話アプリ（ネットワーク／クラウドのデータベースを介して更新される）である。オンラインコースで取得した資格は、自動的にデータベースに保存され、モバイル装置に転送される。
【００４２】
情報交換が実施されることができる限り、同様の識別が、患者識別又は治療履歴のような対象データに関して実行されることにより、患者の携帯電話又は健康カード、ＩＤカード又はパスポートから適切なデータ／情報を取得することができる。
【００４３】
ある例では、トレーニング及び専門家認定データベースへのリンクが提供されており、これは、サプライヤに依存しないプラットフォーム技術を可能にする。
【００４４】
ある例では、自動整合性チェックが失敗した場合、Ｘ線システムは、オペレータの失格を提供し、又はオペレータの技能レベルが格下げされ又は少なくとも質問される。しかしながら、オペレータが、長期にわたって技能をもつ医師のような高度な資格をもつ専門家である場合、このようなチェックを却下するためのオプションセレクタが提供される。
【００４５】
オペレータ又は対象のデータは、携帯電話、ＩＤカードなどの識別装置を介して、オペレータ及び／又は対象を識別することによって決定される。識別装置は、Ｘ線装置のＩＤ手段と通信し又は対話するように構成されている。識別装置及び／又はＸ線装置は、ネットワークに接続されることができ、又はオフラインで動作することができる。ある例において、識別装置は、Ｘ線システム又はＸ線装置の一部であり、それらは、システム又は装置に組み込まれていても、独立していてもよい。選択されたオプションセレクタに基づいて、少なくとも１つの後続のオプションセレクタが、オペレータ技能レベルに従って適応され、出力される少なくとも１つのオプションセレクタが更新される。
【００４６】
本発明による方法によれば、少なくとも１つの後続のオプションセレクタが、オペレータ技能レベル及び／又は対象データに従って適応される。これにより、オペレータのスキル及び知識及び／又は識別される対象データに適応される柔軟な操作方法が提供される。出力されるオプションセレクタは更に、オペレータ技能レベルに合致するガイダンスを提供する。ある例では、高度なスキルをもつオペレータは、この方法がより低いスキルをもつオペレータのガイダンス及び／又は操作方法を提供するようにオプションセレクタを選択することができる。しかしながら、すべてのオペレータ技能レベルは、Ｘ線システムによって提供され、ユーザによって入力されることはできず、ただし、Ｘ線システムによって認められるオペレータが、新しいユーザを登録し、技能レベルに関して要求される情報を提供することを除く。
【００４７】
すべての例について、操作セレクタの適応と画像取得の結果を含む、ステップ、パラメータ、及び決定の文書化が実施される。これは、患者データのフォローアップに必要なデータを提供する。また、特定のオペレータのオペレータ技能レベルが対処されることができる。
【００４８】
本発明の特徴は、Ｘ線システムを使用して記述される。図面の以下の説明は、モバイルＸ線装置、モバイルＸ線システム、又は他のモバイル健康システム又は装置にも当てはまることに留意されたい。
【００４９】
図１は、Ｘ線装置１と、スキャンされる対象２又はＸ線システム１０のオペレータ３を検出するための任意のセンサ１２と、を有するＸ線システム６を示す。対象２は、Ｘ線源と検出器１４との間に配置される。センサ１２は更に、Ｘ線装置すなわちＸ線装置１のＸ線源Ｘ又はオペレータ３から対象２までの距離を検出する少なくとも２つのセンサを含むセンサシステムを有することができる。いくつかの実施形態において、センサ１２は、Ｘ線装置の近傍に他の対象又は人がいないことを検出するための近傍センサである。
【００５０】
Ｘ線装置１は、オペレータ３及び対象２を識別するための４つのＩＤ手段７を備えたＩＤシステム４を更に有する。オペレータは、オペレータ識別装置５を介して識別され、対象は、対象識別装置１３を介して識別される。ＩＤシステム４によって検出されることができる識別装置の複数の方法を反映するために、２以上のＩＤ手段７が提供されることができる。この実施形態において、オペレータ識別装置５は、ＲＦＩＤチップを有し、識別は、Ｘ線装置１のＩＤシステムへのＲＦリンクを介して実施される。患者（対象２）の識別装置１３は、この実施形態では携帯電話である。識別は、携帯電話により提供される電話番号、ＩＭＥＩ、又は指紋認証によって実施されることができる。
【００５１】
オペレータ及び患者（対象）の識別は、Ｘ線システム６が使用されるロケーションの近くで利用可能な技術プラットフォームを介して実施される。オペレータ３又は患者（対象）２の識別に適した典型的な識別装置は、携帯電話、電子健康カード、ＲＦリンク付きのＩＤカード、電子読み取り可能なパスポートである。
【００５２】
提供されるＸ線装置１のＩＤシステム４は、オンサイトで予想される状況を反映するように、又は使用国で利用可能な技術に依存して設計されることができる。いずれの場合も、ＩＤシステム４のＩＤ手段７は、画像取得に関与する人のほとんど（オペレータ３、患者２）について利用可能でなければならない。可能な識別装置５、１３は、以下の実施形態の各々又はいくつかに関して提供されることができる：アプリケーション（アプリとも呼ばれる）を含む携帯電話；ＩＤカード；電子健康カード（ＮＦＣを使用）；オンラインデータベース比較が利用可能であるべき顔認識機能付きカメラ；ＲＦＩＤタグ；個人化された時計、その他。病院、養護施設、又はその他の専門的環境では、スタッフは、通常、コードを提供するＩＤカードをもっている。ＩＤ手段７は、そのようなコードを読み取るように構成されることができる。ＧＳＭ接続に依存して、ＩＤシステムによってオンライン／オフラインデータが提供される。この実施形態において、データベース１１は、オペレータ３のトレーニングレベルに関するデータを提供する。
【００５３】
ＩＤシステム４及びＩＤ手段は、Ｘ線システム６とのインタラクションを介した識別に利用可能な任意の技術に適応可能である。
【００５４】
Ｘ線装置１は、プロセッサユニット８を更に有する。プロセッサユニット８は、ＩＤシステム４から受信される識別情報とデータベース１１によって提供される情報とをマッチングすることにより、オペレータ技能レベルを専門家レベルＥ又はベーシックレベルＢと決定するように構成される。ある実施形態において、専門家レベルＥとベーシックレベルＢとの間の中間レベルが、オペレータの専門資格、コース、トレーニングなどにより識別される医療資格に従って提供される。これらの中間レベルは、例えば、１つの医療分野でのベーシックレベル及び集中トレーニングの要件を含むベーシックレベルのサブレベル、又は専門家レベルと長期の技能の要件を含む専門家レベルのサブレベルである。ある実施形態において、オペレータ技能レベルは、特定のアプリケーションのオペレータ技能レベルを含むように構成され、それにより、そのような特定のアプリケーションが使用される場合、オペレータ技能レベルが、操作中に変更されることができる。更に、オペレータ技能レベルは、一部の操作分野では技能がないことの識別を含むように構成されることもできる。ある実施形態において、オペレータ３は、ＩＤシステム４を介して新しいオペレータを登録することを認められることができる。そのような実施形態において、ＩＤシステム４、プロセッサユニット８、及び／又はインタフェース９は、対応する出力を提供し、対応する入力を受信することにより、そのような登録を実施するように構成される。
【００５５】
プロセッサユニット８は、オペレータ３が、データベース１１に提供されているようにＸ線システム６に知られているかどうかをチェックする。データベース１１は、Ｘ線装置１に組み込まれることもできる。プロセッサユニット８は更に、データベース１１において利用可能である場合、患者識別をチェックする。利用可能な場合、患者２の治療履歴が、データベース１１を介してプロセッサユニット８に提供されることができる。
【００５６】
こうして、オペレータ技能レベルＢ、Ｅが決定され、オペレータ３とＸ線システム１との適応的なインタラクションのためのインタフェース９が提供される。インタフェース９は、少なくとも１つのオプションセレクタ１０を出力するように構成されているが、オプションセレクタ１０の数は、識別されるオペレータ技能レベルに依存してオペレータ３の必要なガイダンスに従って適応される。インタフェース３を介して、オペレータ３は、出力されたオプションセレクタ１０を選択し又は放棄することができ、これは、他の図を参照してより詳しく以下に記述される。
【００５７】
必要なすべてのステップが、インタフェース９を介したＸ線装置１とのインタラクションにより実施され／確認された後、オペレータ３は、Ｘ線装置１のＸ線源Ｘを起動することにより画像取得を実行する。
【００５８】
より詳しく記述されるように、オペレータ３が、その技能レベルに適応された画像取得を実施することができるように、インタフェース９のオプションセレクタ１０が適応される。これにより、地方の小施設、養護施設、病院、又は（専門ケアの）複数のユーザを有する他のロケーションでも使用されることができる非常に柔軟性のあるＸ線システム６が提供される。"専門家レベルのデータベースが、携帯電話アプリ又は識別リンクを通じて利用可能である場合、提供されるＸ線システムは更に、トレーニングされた人員のみが患者を処置することを確実にするために、このような人の技能に対する疑いがある場合、例えば飛行機のような遠隔ロケーションにおいて医師の技能レベルを識別し又はチェックする状況で使用されることができる。"
【００５９】
図２は、本発明による画像取得のための方法を示しており、オペレータの技能レベルはベーシックＢとして識別される。識別されたオペレータは、Ｘ線システム６に精通している。オペレータがシステムに精通していない場合、オペレータはＸ線システム６又はＸ線装置１の操作を許可されない。ステップＩＤＯにおいて、図１で説明したように、オペレータの識別が、ＩＤ手段７及び識別装置５、１３を使用することにより、実行される。従って、次のステップで、プロセッサユニット８は、ベーシックのオペレータ技能レベルＢ、及び技能レベルＥのような他のオペレータ技能レベル、又は特定のアプリケーションのオペレータ技能レベル、又は一部の操作分野で技能をもたないオペレータ専門レベルを決定する。
【００６０】
この実施形態において、識別されたオペレータの技能レベルはベーシックであり、専門家レベルＥは識別されない。ベーシックのオペレータ技能レベルＢは、すべての実施形態で提供されるデフォルト設定でもある。ＩＤシステム４を介した通信が何らかの理由で失敗しうる場合、オペレータの技能レベルはベーシックＢに設定される。ある実施形態において、緊急の場合を除いて操作は許可されず、緊急の場合には、最大１回のＸ線スキャンが、ステップバイステップモードにおいてオプションセレクタを使用して詳細なガイダンスに沿って許可される。このようなスキャンはドキュメント化され、フォローアップのためにデータベースに保存される。
【００６１】
ステップＩＤＰにおいて、少なくとも１つの対象２の識別が実行される。この実施形態では、例えば子供の患者である対象２は、Ｘ線システム６に既に知られており、治療履歴データ及び年齢、サイズ、体重などの個人データは、データベース１１によって既に提供されている。他の実施形態において、患者は、Ｘ線システム６に知られていない。
【００６２】
次のステップＳ１において、少なくとも１つのオプションセレクタ１０が、Ｘ線装置１のインタフェース１０を介して出力される。この実施形態において、出力されるオプションセレクタ１０は、インタフェース９のディスプレイ上に表示されるすべての関連する基本情報を含み、これはデフォルト設定にも対応する。線量設定に関連するオプションセレクタ１０は、低（放射線）リスクの基本設定のみを提供する。オペレータ技能レベルもベーシックＢとして識別されるため、以下で説明するように、後続のオプションセレクタ１０が適応される前に、追加の質問及び／又はセンサによる位置と設定のダブルチェック又は整合性チェックが実行される。
【００６３】
ベーシックの技能レベルＢは、基本知識及び基本トレーニングを含む。更に、この実施形態において、短い情報サマリ更新が与えられる。識別されたオペレータ技能レベルＢに従って、簡略化された整合性チェックが実行される。このようなベーシックの技能レベルＢの場合、オプションセレクタによってステップバイステップモードが提供され、それにより、画像取得が実行されるまで操作方法をオペレータにガイドする。
【００６４】
ステップＳ１において、少なくとも１つのオプションセレクタが線量設定要求を提供する。オペレータは、ステップＳ２において、線量設定のための数字を入力することによってこのオプションセレクタを選択することにより、インタフェースと対話する。次いで、システムは、整合性チェックＣ１としてオプションセレクタを実行して、線量設定が患者データ（この実施形態では子供）に従っているかどうかをチェックする。子供が最近、画像取得を受けていた場合には、特定の線量のみが許可され、又は子供の年齢／サイズが、特定の線量設定を要求する。線量設定が適切である場合、次のステップＳ３が実行される。線量設定が適切でない場合、オペレータは、ステップＳ１から再び開始して、新しい線量設定を選択するように要求される。任意に、オペレータは、オプションセレクタによって表示される追加情報によってガイドされることができる。いくつかの実施形態において、整合性チェックＣ１は提供されず、又は任意に提供される。
【００６５】
ステップＳ３において、後続のオプションセレクタは、技能レベルのベーシックＢに応じて適応され、オプションセレクタを更新することによりインタフェースを介して出力される。後続のオプションセレクタは、患者（対象）が良好な状態であるか及び次のＸ線操作を認識しているかをチェックすることのオペレータへの要求である。オペレータは、このオプションセレクタを選択することにより確認しなければならない。
【００６６】
次のステップＳ４は、対象とＸ線源Ｘとの間の距離の入力を必要とする。オペレータは、ステップＳ４において、距離を入力することによりこのオプションセレクタを選択する。この実施形態では、距離もＸ線システム６のセンサによって測定されるので、確認チェックＣ２としてオプションセレクタが実行される。値が整合性をもつ場合、後続のオプションセレクタが適応され、次のステップＳ５において、オプションセレクタが、インタフェースを介して更新される。値が異なる場合、ステップＳ３においてオプションセレクタがインタフェースを介して更新され、このオプションセレクタが再び選択されるように、後続のオプションセレクタが適応される。
【００６７】
ステップＳ５において、Ｘ線画像を生成するためのオプションセレクタが提供され、それにより、画像取得が、このオプションセレクタを選択することにより実行される。生成されたＸ線画像は、インタフェースを介して表示される。
【００６８】
後続のオプションセレクタは、画像が診断に使用されることができるかどうかの整合性チェックＣ３として実行される。肯定である場合、ステップＳ７において、画像取得の終了を示す適応された後続のオプションセレクタによってオプションセレクタを更新することにより、画像取得が停止する。画像が使用不可である場合、プロシージャは、後続のオプションセレクタを適応させ、インタフェースを介してオプションセレクタを更新することによりステップＳ１から始められ、それにより、線量設定が、再び提供されることができる。
【００６９】
説明されたオプションセレクタ及び更なる確認又は値の入力による選択されたオプションセレクタに従う後続のオプションセレクタの適応は、例示にすぎず、他の実施形態において他の手段を含むこともできる。
【００７０】
図３は、本発明による画像取得のための方法を示す。この実施形態では、ステップＩＤＯでのオペレータの識別の後に、オペレータ技能レベルＥが決定される。子供である決定された患者（対象）データに従って、ステップＳ１において、少なくとも１つのオプションセレクタが、線量設定要求を提供する。専門家技能レベルＥのオペレータは、ステップＳ２において線量設定のための数字を入力することによりこのオプションセレクタを選択することにより、インタフェースと対話する。技能レベルは、専門家レベルＥとして決定されるので、線量設定が確認され、識別された対象データに従って線量設定が許容できないとされる場合でも、操作は阻止されることなく続行することができる。
【００７１】
これは、後続のオプションセレクタが、ステップＳ５において画像取得として適応され、Ｘ線画像を生成するためのオプションセレクタが提供されることを意味する。このオプションセレクタを選択することにより、画像の取得が実行される。生成されたＸ線画像は、インタフェースを介して表示される。ベーシックのオペレータ技能レベルＢに関して、後続のオプションセレクタは、画像が診断に使用されることが可能かどうかの整合性チェックとして実行される。画像が使用可能である場合、ステップＳ７において、画像取得の終了を示す適応された後続のオプションセレクタによってオプションセレクタを更新することにより、画像取得が停止する。画像が使用可能でない場合、プロシージャは、後続のオプションセレクタを適応させ、インタフェースを介してオプションセレクタを更新することにより、ステップＳ１から全体が始まり、線量設定が再び提供されるようにする。
【００７２】
しかしながら、この方法は、任意に、対象とＸ線源Ｘとの間の距離の入力として、オプションセレクタをステップ４において提供する。オペレータは、ステップＳ４において距離を入力することによりこのオプションセレクタを選択することができ、又はステップＳ１において提供されるオプションセレクタを選択することにより直ちに開始することができる。ステップ４においてオプションセレクタが選択される場合、この実施形態では距離もＸ線システム６のセンサによって測定されるので、確認チェックＣ２としてのオプションセレクタが実行される。値が整合性をもつ場合、次のステップＳ１で、後続のオプションセレクタが適応され、インタフェースを介してオプションセレクタが更新される。しかしながら、チェックが整合性をもたない場合、後続の手段は、選択ボタンＢＴとして適応され、かかる選択ボタンＢＴは、不整合を放棄するためのオプションセレクタを提供する。このような選択は、技能レベルＥでのみ提供される。ボタンＢＴが選択される場合、後続の手段は、ステップＳ１での線量設定又はステップＳ４での距離入力として適応される。両方のオプションセレクタは、オプションセレクタを更新することにより、インタフェースを介して提供される。必要に応じて、ステップＩにおいて、追加のオプションセレクタが追加のオプションを提供することに留意すべきである。このようなオプションセレクタは、デフォルトのオペレータ又はベーシックのオペレータには提供されない。
【００７３】
専門家のオペレータの場合、オプションセレクタとしての詳細な説明なしで、必要な情報が提供されることができる。これは、オペレータの迅速な更新を保証する。更に、全範囲のパラメータセレクタが許容され、オプションセレクタによって提供される。整合性チェックのようなオプションセレクタが減らされるが、専門家のオペレータは、必要に応じて、追加のオプションセレクタを選択することができる。
【００７４】
オプションセレクタをオペレータ技能レベルにあわせて適応させることにより、Ｘ線システムの非常に柔軟で迅速な操作方法を提供する。更に、オペレータのガイダンスは、技能レベルに適応される。
【００７５】
他の実施形態も提供されることができ、上述のさまざまなステップにおけるオプションセレクタは、対象あたりのＸ線スキャンの数、対象とＸ線装置のＸ線源とのアライメント、プッシュボタンの確認、及び自動チェックの１又は複数を含む。従って、オプションセレクタは、オペレータの技能レベルにあわせて適応される。
【００７６】
別の実施形態では、オプションセレクタは、Ｘ線システムのセンサがオペレータ及び／又は対象の長時間の不在を検出する場合、ステップＩＤＯにおいてオペレータ技能レベル及び／又は対象の確認を含むことができる。一般に、専門家によって確認されなければならない再スキャンの特定の理由がない場合、上述したＸ線装置及びシステム及びその操作は、対象（患者）あたり１回のスキャンを可能にする。２回目のスキャンが必要な場合、システムは患者の身元をチェックする。何らかの理由で患者がスキャン領域を離れ、２人目の患者がスキャン領域に入った場合、システムは２回目のスキャンを許可する。しかしながら、オプションセレクタを提供する装置によってインタフェースを介して、オペレータが警告される。従って、新しい患者のデータが、更新され又は編集される。最初に既にスキャンされた患者がスキャン領域に再び入る場合、システムは、以前にスキャンされた対象として患者を識別し、又は少なくとも対象が同じ人又は別の人に置き換えられたことを示すオプションセレクタを出力することにより情報を提供する。
【００７７】
本発明の別の例示的な実施形態において、適切なシステム上で前述の実施形態の１つによる方法の方法ステップを実行するように適応されることによって特徴付けられるコンピュータプログラム又はコンピュータプログラム素子が提供される。
【００７８】
従って、コンピュータプログラム素子は、コンピュータユニットに記憶されることができ、これも本発明の実施形態の一部でありうる。このコンピューティングユニットは、上述の方法のステップを実施し又は実施を引き起こすように適応されていてもよい。更に、コンピューティングユニット、上述の装置のコンポーネントを操作するように適応されることもできる。コンピューティングユニットは、自動的に動作するように及び／又はユーザのオーダーを実行するように適応されることができる。コンピュータプログラムは、データプロセッサの作業メモリにロードされる。従って、データプロセッサは、本発明の方法を実行するように装備されることができる。
【００７９】
本発明のこの例示的な実施形態は、最初から本発明を使用するコンピュータプログラムと、最新の手段により既存のプログラムを本発明を使用するプログラムに変えるコンピュータプログラムとの両方をカバーする。
【００８０】
更に、コンピュータプログラム素子は、上述の方法の例示的な実施形態のプロシージャを実行するために必要なすべてのステップを提供することができる。
【００８１】
本発明の他の例示的な実施形態により、前のセクションで記述されたコンピュータプログラム要素を記憶するＣＤ−ＲＯＭのようなコンピュータ可読媒体が提示される。コンピュータプログラムは、他のハードウェアとともに、又はその一部として提供される光記憶媒体又はソリッドステート媒体のような適切な媒体に記憶及び／又は配布されることができるが、他の形態で、例えばインターネット又はその他の有線又は無線の通信システムを介して配布されることもできる。
【００８２】
しかしながら、コンピュータプログラムは、ワールドワイドウェブのようなネットワークを介して提供されることもでき、そのようなネットワークからデータプロセッサの作業メモリにダウンロードされることもできる。本発明の他の例示的な実施形態によれば、コンピュータプログラム要素をダウンロード可能にする媒体が提供され、そのコンピュータプログラム要素は、本発明の前述の実施形態の１つによる方法を実行するように構成される。
【００８３】
本発明の実施形態は、個々の異なる主題に関して記述されていることに留意されたい。特に、いくつかの実施形態は、方法タイプの請求項を参照して記述されており、他の実施形態は、装置タイプの請求項に関して記述されている。しかしながら、当業者であれば、特記されない限り、１つのタイプの主題に属する特徴の任意の組み合わせに加えて、異なる主題に関連する特徴の間の任意の組み合わせが、本願において開示されていると考えらえることを上述の及び後述の説明から理解するであろう。しかしながら、すべての機能が組み合わされることができ、それにより、特徴の単純な合計以上の相乗効果を提供することができる。
【００８４】
本発明は、図面及び前述の記述において詳細に図示され説明されているが、そのような図示及び記述は、限定的ではなく、例示的又は例示的であると考えられるべきである。本発明は、開示される実施形態に制限されない。開示された実施形態の他の変形例は、図面、開示、及び従属請求項の検討から、請求項に記載の発明を実施する際に当業者によって理解され達成されることができる。
【００８５】
請求項では、「含む、有する（comprising）」という語は、他の構成要素又はステップを排除せず、不定冠詞「a」又は「an」は複数性を排除しない。単一のプロセッサ又は他のユニットが、請求項に記載されているいくつかのアイテムの機能を果たすことができる。特定の手段が相互に異なる従属請求項で引用されているという単なる事実は、これらの手段の組み合わせが有利に使用できないことを示していない。請求項における参照符号は、請求項の範囲を制限するものとして解釈されるべきではない。
【図１】
2020519331.tif 000003
【図２】
2020519331.tif 000004
【図３】
2020519331.tif 000005
【国際調査報告】
2020519331.tif 000006
2020519331.tif 000007